(57)【特許請求の範囲】
【請求項１】
誘導加熱コイルと、
前記誘導加熱コイルを駆動する電子回路基板と、
前記誘導加熱コイル及び前記電子回路基板を冷却する冷却風を送風するファンと、
前記ファンを収容するとともに、冷却風を吹き出す吹出口を有するファンケースと、
前記電子回路基板を収容するとともに、前記吹出口から吹き出された冷却風を流入させる流入口を有する基板ケースユニットと、
前記基板ケースユニットと重なって設けられ、前記誘導加熱コイルを冷却する冷却風の風路を形成するダクト部材と、
を備え、
前記ファンケースには、前記吹出口の周囲を囲んで冷却風の流れ方向に突出し、前記吹出口と前記流入口とを連通させる筒状部が形成されており、
前記基板ケースユニットには、前記流入口の周囲を囲み、前記筒状部を内周側に嵌入させるリブが形成されており、
前記リブは、一辺に開口部が形成されたＵ字状の平面形状を有しており、
前記基板ケースユニットのうち前記開口部の形成された部分には、前記流入口側とは逆側に突出した第１フランジ部が形成されており、
前記ファンケースの前記筒状部には、前記第１フランジ部に当接する第２フランジ部が形成されており、
前記ダクト部材は、前記第１フランジ部及び前記第２フランジ部を覆う蓋部を有していることを特徴とする電磁誘導加熱調理器。
【請求項２】
前記リブの両端部は、互いに平行に延伸していることを特徴とする請求項１に記載の電磁誘導加熱調理器。
【発明の詳細な説明】
【技術分野】
【０００１】
本発明は、電磁誘導加熱調理器に関する。
【背景技術】
【０００２】
特許文献１には、誘導加熱調理器が記載されている。この誘導加熱調理器は、誘導加熱コイルを駆動する電子回路基板と、誘導加熱コイル及び電子回路基板を冷却する冷却風を送風する送風機と、が内部に収容された基板ケースユニット（風路ユニット）を有している。基板ケースユニットに設けられた排気口は、誘導加熱コイルの下方に設置されたチャンバに接続されている。送風機が動作することにより、吸気口から基板ケースユニット内に冷却風が吸引され、吸引された冷却風は、基板ケースユニット内の電子回路基板の発熱部品を冷却した後、排気口から排気される。排気口から排気された冷却風は、チャンバに流入して誘導加熱コイルを冷却する。
【先行技術文献】
【特許文献】
【０００３】
【特許文献１】特開２０１３−１９１５８３号公報
【発明の概要】
【発明が解決しようとする課題】
【０００４】
しかしながら、上記のような誘導加熱調理器では、送風機により送風された冷却風が流れる風路は複数の部品で構成されているため、部品同士が嵌合した嵌合部から外部に冷却風が漏れてしまう。これにより、冷却風の風量が不足し、誘導加熱コイル及び電子回路基板が冷却不足となってしまうという問題点があった。
【０００５】
嵌合部での冷却風の漏れを防ぐためには、ねじ等の締結部材やシール材を用いて嵌合部の気密性を改善することが考えられる。ところがこの場合、締結部材やシール材が新たに必要となるため、製造コストが増加してしまうという問題点があった。
【０００６】
本発明は、上述のような問題点の少なくとも１つを解決するためになされたものであり、製造コストの増加を抑えつつ、誘導加熱コイル及び電子回路基板の冷却不足を防ぐことができる電磁誘導加熱調理器を提供することを目的とする。
【課題を解決するための手段】
【０００７】
本発明に係る電磁誘導加熱調理器は、誘導加熱コイルと、前記誘導加熱コイルを駆動する電子回路基板と、前記誘導加熱コイル及び前記電子回路基板を冷却する冷却風を送風するファンと、前記ファンを収容するとともに、冷却風を吹き出す吹出口を有するファンケースと、前記電子回路基板を収容するとともに、前記吹出口から吹き出された冷却風を流入させる流入口を有する基板ケースユニットと、前記基板ケースユニットと重なって設けられ、前記誘導加熱コイルを冷却する冷却風の風路を形成するダクト部材と、を備え、前記ファンケースには、前記吹出口の周囲を囲んで冷却風の流れ方向に突出し、前記吹出口と前記流入口とを連通させる筒状部が形成されており、前記基板ケースユニットには、前記流入口の周囲を囲み、前記筒状部を内周側に嵌入させるリブが形成されており、前記リブは、一辺に開口部が形成されたＵ字状の平面形状を有しており、前記基板ケースユニットのうち前記開口部の形成された部分には、前記流入口側とは逆側に突出した第１フランジ部が形成されており、前記ファンケースの前記筒状部には、前記第１フランジ部に当接する第２フランジ部が形成されており、前記ダクト部材は、前記第１フランジ部及び前記第２フランジ部を覆う蓋部を有していることを特徴とするものである。
【発明の効果】
【０００８】
本発明によれば、冷却風の流れにおいて上流側となるファンケースに形成された筒状部が、下流側となる基板ケースユニットに形成されたリブの内周側に嵌入するため、ファンケースと基板ケースユニットとの間での冷却風の漏れを抑制することができる。したがって、誘導加熱コイル及び電子回路基板の冷却不足を防ぐことができる。また、本発明によれば、冷却風の漏れを抑制するのに締結部材やシール材を必ずしも必要としないため、電磁誘導加熱調理器の製造コストの増加を抑えることができる。さらに、本発明によれば、リブがＵ字状の平面形状を有しているため、ファンケースと基板ケースユニットとを組み立てる際に、ファンケースの筒状部を開口部側からリブの内周側に挿入することができ、リブをガイドとして機能させることができる。したがって、電磁誘導加熱調理器の製造工程を簡略化することができる。
【図面の簡単な説明】
【０００９】
【図１】本発明の実施の形態１に係る電磁誘導加熱調理器１の全体構成を示す分解斜視図である。
【図２】本発明の実施の形態１に係る電磁誘導加熱調理器１の風路ユニット２０の構成を示す斜視図である。
【図３】本発明の実施の形態１に係る電磁誘導加熱調理器１の風路ユニット２０の構成を示す分解斜視図である。
【図４】図２のＢ−Ｂ断面を示す断面図である。
【図５】本発明の実施の形態１に係る電磁誘導加熱調理器１の基板ケースユニット５０の流入口５６近傍をファンユニット３０側から見た構成を示す模式図である。
【図６】本発明の実施の形態１に係る電磁誘導加熱調理器１のファンユニット３０と基板ケースユニット５０との嵌合部２１近傍の水平断面を示す模式図である。
【図７】図４のＣ部の構成を示す拡大図である。
【発明を実施するための形態】
【００１０】
実施の形態１．
本発明の実施の形態１に係る電磁誘導加熱調理器について説明する。図１は、本実施の形態に係る電磁誘導加熱調理器１の全体構成を示す分解斜視図である。図１において、左下方向は手前側（使用者側）を表しており、右上方向は奥側を表している。なお、図１を含む以下の図面では、各構成部材の寸法の関係や形状等が実際のものとは異なる場合がある。また、以下の説明における各構成部材同士の位置関係（例えば、上下関係等）は、原則として、電磁誘導加熱調理器１を使用可能な状態に設置したときのものである。
【００１１】
図１に示すように、電磁誘導加熱調理器１は、調理器本体１０と、調理器本体１０の上面に設けられたトッププレート１１と、を有している。トッププレート１１の前側下方には、調理状態等を表示する表示部１２が設けられている。トッププレート１１の奥側には、排気口（又は吸排気口）を覆う排気口カバー１３が設けられている。
【００１２】
トッププレート１１の下方には、トッププレート１１上に載置された被加熱物を加熱する加熱部として、誘導加熱コイル１４ａ（右コイル）と、誘導加熱コイル１４ａよりも出力が大きい誘導加熱コイル１４ｂ（左コイル）と、が設けられている。誘導加熱コイル１４ａ、１４ｂは、調理器本体１０の左右方向に並列している。誘導加熱コイル１４ａの下方には、後述する風路ユニット２０が収容されている。誘導加熱コイル１４ｂの下方には、当該誘導加熱コイル１４ｂを冷却する冷却風が流通する左コイル冷却用ダクト１５が設けられている。左コイル冷却用ダクト１５の下方には、グリル室１６が設けられている。調理器本体１０の前面のうち風路ユニット２０の手前側には、操作パネル１７が設けられている。操作パネル１７では、使用者の操作によって誘導加熱コイル１４ａ、１４ｂの出力等が調節される。
【００１３】
図２は、電磁誘導加熱調理器１の風路ユニット２０の構成を示す斜視図である。図３は、風路ユニット２０の構成を示す分解斜視図である。図４は、図２のＢ−Ｂ断面（図１のＡ−Ａ断面に対応）を示す断面図である。図２〜図４に示すように、風路ユニット２０は、ファンユニット３０と、基板ケースユニット５０と、右コイル冷却用ダクト７０（ダクト部材の一例）と、を有している。ファンユニット３０と基板ケースユニット５０との間は、嵌合部２１（例えば、後述する筒状部３８及びリブ５７）において互いに嵌合している。
【００１４】
ファンユニット３０は、シロッコファン３１と、シロッコファン３１を駆動するモータ３２と、シロッコファン３１及びモータ３２を収容するファンケース３３と、を有している。ファンケース３３内の空間は、冷却風が流通する風路となっている。モータ３２の出力軸、及び当該出力軸に接続されるシロッコファン３１の回転軸は、いずれも上下方向に延伸するように配置されている。ファンケース３３には、シロッコファン３１を収納する渦巻形状のファン収納部３４が設けられている。ファン収納部３４は、シロッコファン３１の上側の吸引口３５ａが形成された上ケース３４ａと、シロッコファン３１の下側の吸引口３５ｂが形成された下ケース３４ｂと、で構成されている。吸引口３５ａ、３５ｂはほぼ同一の径で形成されている。モータ３２は、上ケース３４ａに対して固定されており、上側の吸引口３５ａからファン収納部３４内に挿入されている。
【００１５】
ファン収納部３４内の空間のうちシロッコファン３１よりも外周側は、水平に設けられた仕切板３６によって上下に仕切られている。仕切板３６は、上ケース３４ａと下ケース３４ｂとによって挟持されている。また、シロッコファン３１の内周側には、仕切板３６と同じ高さに設けられた円形状の遮蔽板３１ａが設けられている。遮蔽板３１ａは、シロッコファン３１に対して固定されている。ファン収納部３４の渦巻の接線方向には、冷却風が基板ケースユニット５０側に吹き出される吹出口３７ａ、３７ｂが形成されている。吹出口３７ａ、３７ｂは、例えば全体として縦長の長方形状に形成されており、仕切板３６によって上側の吹出口３７ａと下側の吹出口３７ｂとに仕切られている。
【００１６】
ファンケース３３のうち基板ケースユニット５０側の端部には、吹出口３７ａ、３７ｂの周囲を囲み、冷却風の流れ方向（基板ケースユニット５０側）に突出した筒状部３８が形成されている。筒状部３８は、例えば長方形状の外周形状を有している。
【００１７】
基板ケースユニット５０は、台座となる基板ケース５１と、基板ケース５１上に配置され、基板ケース５１との間に下段空間５４ｂを形成する基板ケース５２と、基板ケース５２上に配置され、基板ケース５２との間に上段空間５４ａを形成する基板ケース５３と、が積層された構成を有している。基板ケースユニット５０内の上段空間５４ａ及び下段空間５４ｂには、誘導加熱コイル１４ａ、１４ｂ等を駆動する各種電子部品が実装された電子回路基板５５ａ、５５ｂがそれぞれ収容されている。つまり、電子回路基板５５ａは、電子回路基板５５ｂの上方に重なって配置される。上段空間５４ａ及び下段空間５４ｂは、電子回路基板５５ａ、５５ｂに実装されている電子部品を冷却する冷却風の風路としても機能する。
【００１８】
基板ケースユニット５０のファンユニット３０側の端部には、吹出口３７ａ、３７ｂから吹き出された冷却風を基板ケースユニット５０内に流入させる流入口５６が形成されている。吹出口３７ａ、３７ｂと流入口５６との間は、筒状部３８を介して連通している。吹出口３７ａから吹き出された冷却風は、流入口５６を介して主に上段空間５４ａに流入し、吹出口３７ｂから吹き出された冷却風は、流入口５６を介して主に下段空間５４ｂに流入する。
【００１９】
図５は、基板ケースユニット５０の流入口５６近傍をファンユニット３０側から見た構成を示す模式図である。図５に示すように、基板ケースユニット５０のファンユニット３０側の端部には、流入口５６の周囲の少なくとも一部を囲むリブ５７が形成されている。リブ５７は、一辺（本例では、上辺）に開口部５８が形成された、角張ったＵ字状（例えば、長方形の３辺となる形状）の平面形状を有している。本例のリブ５７は、いずれも直線状に延伸する左辺部５７ａ、下辺部５７ｂ及び右辺部５７ｃを有している。リブ５７の両端部となる左辺部５７ａと右辺部５７ｃとは、互いに平行となるように上下方向に延伸している。
【００２０】
また、基板ケースユニット５０のうち開口部５８の形成された部分には、流入口５６側とは逆側（本例では、上方）に鍔状に突出したフランジ部５９が形成されている。一方、後述する図７等に示すように、ファンユニット３０の筒状部３８における長方形状の開口端のうち上辺には、上方に鍔状に突出したフランジ部３９が形成されている。基板ケースユニット５０のフランジ部５９と、ファンユニット３０のフランジ部３９とは、互いに当接している。
【００２１】
図６は、ファンユニット３０（ファンケース３３）と基板ケースユニット５０との嵌合部２１近傍の水平断面を示す模式図である。図中の太矢印は、冷却風の流れ方向を表している。図６に示すように、ファンユニット３０の筒状部３８は、リブ５７の内周側に嵌入している。すなわち、ファンユニット３０の筒状部３８は、リブ５７の内周側に形成される凹部に嵌入している。
【００２２】
図２〜図４に戻り、右コイル冷却用ダクト７０は、基板ケースユニット５０の上方（基板ケース５３の上方）に重なって設けられている。右コイル冷却用ダクト７０は、誘導加熱コイル１４ａの直下に配置されている。右コイル冷却用ダクト７０は、基板ケースユニット５０との間に、冷却風を流通させる風路７１を形成する。風路７１は、基板ケース５３に形成されている通風開口５３ａを介して、上段空間５４ａと連通している。右コイル冷却用ダクト７０には、風路７１に流通する冷却風を誘導加熱コイル１４ａに向かって噴出させる複数の噴出口７０ａが形成されている。また、右コイル冷却用ダクト７０内の風路７１は、誘導加熱コイル１４ｂの直下に配置された左コイル冷却用ダクト１５内の風路と連通している。したがって、上段空間５４ａから風路７１に流入した冷却風の少なくとも一部は、左コイル冷却用ダクト１５内の風路に流入し、誘導加熱コイル１４ｂの冷却に用いられる。
【００２３】
なお、冷却風を風路７１に流通させるだけで誘導加熱コイル１４ａの冷却が可能である場合には、噴出口７０ａは設けられていなくてもよい。また、右コイル冷却用ダクト７０上には、基板ケースユニット５０内の電子回路を誘導加熱コイル１４ａから防磁する金属製の防磁板が設けられていてもよい。
【００２４】
図７は、図４のＣ部の構成を示す拡大図である。上述の通り、基板ケースユニット５０のフランジ部５９と、ファンユニット３０のフランジ部３９とは、互いに当接している。右コイル冷却用ダクト７０は、互いに当接したフランジ部５９及びフランジ部３９を上方から覆う蓋部７２を有している。蓋部７２の下面には、フランジ部５９及びフランジ部３９を両面から挟み込むようなＵ字状の断面形状を有する凹部７２ａが形成されている。凹部７２ａは、フランジ部５９及びフランジ部３９の長手方向に沿って溝状に延伸している。これにより、フランジ部５９とフランジ部３９とが当接する当接部分のほぼ全域が、蓋部７２によって上方及び両側方の３方から覆われる。なお、蓋部７２は、必ずしもフランジ部５９及びフランジ部３９の双方に接触している必要はない。また、凹部７２ａには、長手方向において部分的に補強用リブ７２ｂが設けられていてもよい。
【００２５】
次に、本実施の形態に係る電磁誘導加熱調理器１における冷却風の流れについて説明する。ファンユニット３０のモータ３２が駆動すると、シロッコファン３１及び遮蔽板３１ａが回転する。これにより、調理器本体１０の背面に設けられた吸気口、及びファン収納部３４の上下に設けられた吸引口３５ａ、３５ｂを介して、外部の空気がファン収納部３４内に取り込まれる。ファン収納部３４内に取り込まれた空気は、冷却風として吹出口３７ａ、３７ｂから吹き出され、流入口５６から基板ケースユニット５０内に流入する。
【００２６】
吹出口３７ａから吹き出された冷却風は、主に基板ケースユニット５０内の上段空間５４ａに流入し、上段空間５４ａ内の電子部品（例えば、電子回路基板５５ａに実装された電子部品）を冷却する。上段空間５４ａ内の電子部品を冷却した冷却風は、通風開口５３ａを介して右コイル冷却用ダクト７０内の風路７１及び左コイル冷却用ダクト１５内の風路に流入し、誘導加熱コイル１４ａ、１４ｂを冷却する。その後、冷却風は、所定の排気経路を通り、トッププレート１１の奥側に設けられた排気口から排気される。
【００２７】
一方、吹出口３７ｂから吹き出された冷却風は、主に基板ケースユニット５０内の下段空間５４ｂに流入し、下段空間５４ｂ内の電子部品（例えば、電子回路基板５５ｂに実装された電子部品）を冷却する。下段空間５４ｂ内の電子部品を冷却した冷却風は、所定の排気経路を通り、トッププレート１１の奥側に設けられた排気口から排気される。
【００２８】
ここで、ファンユニット３０（ファンケース３３）と基板ケースユニット５０との間の嵌合部２１は、基板ケースユニット５０内の電子部品や誘導加熱コイル１４ａ、１４ｂ等の冷却対象よりも風上側に位置しており、かつ、シロッコファン３１の直後であるため風圧が高くなっている。このため、上記の冷却対象を冷却する冷却風の風量不足を回避するためには、嵌合部２１での冷却風の漏れを抑えることが有効である。
【００２９】
本実施の形態において、嵌合部２１内の風路の左方、下方及び右方の３方では、冷却風の流れにおいて上流側となるファンケース３３の筒状部３８が、下流側となる基板ケースユニット５０のリブ５７の内周側に嵌入した構成になっている。これにより、部品製造上の誤差等によってファンケース３３と基板ケースユニット５０との間の嵌合部２１に隙間が形成されたとしても、その隙間を通って風路から外部に向かう経路はラビリンス構造になっており、また、当該経路は冷却風の流れ方向とは逆方向に曲げられている。したがって、嵌合部２１内の風路の左方、下方及び右方での冷却風の漏れを生じ難くすることができる。
【００３０】
また、嵌合部２１内の風路の上方では、ファンケース３３のフランジ部３９と基板ケースユニット５０のフランジ部５９との当接部分が、蓋部７２によって覆われた構成になっている。これにより、ファンケース３３と基板ケースユニット５０との間の嵌合部２１に隙間が形成されたとしても、その隙間を通って風路から外部に向かう経路はラビリンス構造になる。したがって、嵌合部２１内の風路の上方での冷却風の漏れも生じ難くすることができる。ここで、蓋部７２は、必要構成部品である右コイル冷却用ダクト７０の一部として設けられているため、部品点数や製造工程が増加してしまうこともない。
【００３１】
以上のように、本実施の形態によれば、ファンケース３３と基板ケースユニット５０との間の嵌合部２１での冷却風の漏れを抑えることができるため、基板ケースユニット５０内の電子部品や誘導加熱コイル１４ａ、１４ｂ等の冷却対象の冷却不足を防ぐことができる。
【００３２】
また、本実施の形態によれば、冷却風の漏れを抑制するのに締結部材やシール材を必ずしも必要としないため、電磁誘導加熱調理器１の製造コストの増加及び製造工程の煩雑化を抑えることができる。
【００３３】
さらに、本実施の形態によれば、リブ５７がＵ字状の平面形状を有しているため、ファンユニット３０と基板ケースユニット５０とを組み立てる際に、ファンケース３３の筒状部３８を開口部５８側からリブ５７の内周側に挿入することができ、さらに、リブ５７（左辺部５７ａ及び右辺部５７ｃ）を筒状部３８のガイドとして機能させることができる。したがって、電磁誘導加熱調理器１の製造工程を簡略化することができる。特に、本実施の形態では、リブ５７の上辺に開口部５８が形成されているため、調理器本体１０の筐体内に基板ケースユニット５０が先に取り付けられた状態で、ファンユニット３０を上方から筐体内に挿入することによって、ファンユニット３０を容易に取り付けることができる。したがって、電磁誘導加熱調理器１の製造工程をより簡略化することができる。
【００３４】
以上説明したように、上記実施の形態に係る電磁誘導加熱調理器１は、誘導加熱コイル１４ａ、１４ｂと、誘導加熱コイル１４ａ、１４ｂを駆動する電子回路基板５５ａ、５５ｂと、誘導加熱コイル１４ａ、１４ｂ及び電子回路基板５５ａ、５５ｂを冷却する冷却風を送風するファン（本例では、シロッコファン３１）と、ファンを収容するとともに、冷却風を吹き出す吹出口３７ａ、３７ｂを有するファンケース３３と、電子回路基板５５ａ、５５ｂを収容するとともに、吹出口３７ａ、３７ｂから吹き出された冷却風を流入させる流入口５６を有する基板ケースユニット５０と、を備え、ファンケース３３には、吹出口３７ａ、３７ｂの周囲を囲んで冷却風の流れ方向に突出し、吹出口３７ａ、３７ｂと流入口５６とを連通させる筒状部３８が形成されており、基板ケースユニット５０には、流入口５６の周囲を囲み、筒状部３８を内周側に嵌入させるリブ５７が形成されており、リブ５７は、一辺に開口部５８が形成されたＵ字状の平面形状を有しているものである。
【００３５】
また、上記実施の形態に係る電磁誘導加熱調理器１において、基板ケースユニット５０と重なって設けられ、誘導加熱コイル１４ａ、１４ｂを冷却する冷却風の風路を形成する右コイル冷却用ダクト７０をさらに備え、基板ケースユニット５０のうち開口部５８の形成された部分には、流入口５６側とは逆側に突出したフランジ部５９が形成されており、ファンケース３３の筒状部３８には、フランジ部５９に当接するフランジ部３９が形成されており、右コイル冷却用ダクト７０は、フランジ部５９及びフランジ部３９を覆う蓋部７２を有していてもよい。
【００３６】
また、上記実施の形態に係る電磁誘導加熱調理器１において、リブ５７の両端部（本例では、左辺部５７ａ及び右辺部５７ｃ）は、互いに平行に延伸していてもよい。
【００３７】
その他の実施の形態．
本発明は、上記実施の形態に限らず種々の変形が可能である。
例えば、上記実施の形態ではファンとしてシロッコファン３１を例に挙げたが、軸流ファン等の他のファンを用いることもできる。
【符号の説明】
【００３８】
１  電磁誘導加熱調理器、１０  調理器本体、１１  トッププレート、１２  表示部、１３  排気口カバー、１４ａ、１４ｂ  誘導加熱コイル、１５  左コイル冷却用ダクト、１６  グリル室、１７  操作パネル、２０  風路ユニット、２１  嵌合部、３０  ファンユニット、３１  シロッコファン、３１ａ  遮蔽板、３２  モータ、３３  ファンケース、３４  ファン収納部、３４ａ  上ケース、３４ｂ  下ケース、３５ａ、３５ｂ  吸引口、３６  仕切板、３７ａ、３７ｂ  吹出口、３８  筒状部、３９  フランジ部、５０  基板ケースユニット、５１、５２、５３  基板ケース、５３ａ  通風開口、５４ａ  上段空間、５４ｂ  下段空間、５５ａ、５５ｂ  電子回路基板、５６  流入口、５７  リブ、５７ａ  左辺部、５７ｂ  下辺部、５７ｃ  右辺部、５８  開口部、５９  フランジ部、７０  右コイル冷却用ダクト、７０ａ  噴出口、７１  風路、７２  蓋部、７２ａ  凹部、７２ｂ  補強用リブ。
【図１】
0006274999.tif 000002
【図２】
0006274999.tif 000003
【図３】
0006274999.tif 000004
【図４】
0006274999.tif 000005
【図５】
0006274999.tif 000006
【図６】
0006274999.tif 000007
【図７】
0006274999.tif 000008